(57)【要約】【課題】階段のあらゆる角部形状に対応できることで、安価であると共に階段を昇り降りする人が足を踏み外しにくい階段用床材を提供する。【解決手段】階段２の踏み面３に敷き設可能なる合成樹脂製のシート部４と、階段２の踏み面３から蹴上げ５にかけて曲折された形状の合成樹脂製のコーナー部７とが一体に形成されてなり、前記階段２の角部６に対応する前記コーナー部７の裏面７ｂに、前記階段２の角部６の曲率に略合致させるコーナーピース１２を着脱自在とした。【選択図】        図１
2004197533.tif 000002
【特許請求の範囲】
【請求項１】
階段の踏み面に敷き設可能なる合成樹脂製のシート部と、階段の踏み面から蹴上げにかけて曲折された形状の合成樹脂製のコーナー部とが一体に形成されてなり、
前記階段の角部に対応する前記コーナー部の裏面に、前記階段の角部の曲率に略合致させるコーナーピースを着脱自在としたことを特徴とする階段用床材。
【請求項２】
請求項１に記載の階段用床材であって、
前記コーナーピースは、前記コーナー部の裏面に形成した凹部に係合離脱可能なる係合頭部と、前記階段の角部に対応する合わせ面部とより形成されてなることを特徴とする階段用床材。
【請求項３】
請求項１又は請求項２に記載の階段用床材であって、
前記シート部と前記コーナー部とによる階段用床材本体及び前記コーナーピースが、押し出し成形により形成されてなることを特徴とする階段用床材。
【請求項４】
請求項１〜３のいずれか１項に記載の階段用床材であって、前記シート部の表面には、防滑用の滑り止め部材が係合可能な収納部を形成すると共に、この収納部に滑り止め部材が保持されてなることを特徴とする階段用床材。
【発明の詳細な説明】
【０００１】
【発明の属する技術分野】
この発明は、階段に貼り付けて使用する階段用床材に関する。
【０００２】
【従来の技術】
従来より、階段の昇降時の騒音軽減と防滑性を高めるために、階段の踏み面から蹴上げの一部にかけて合成樹脂製の階段用床材が貼り付けられている（例えば、特許文献１。）。この階段用床材としては、踏み面に貼られる踏み面部と、蹴上げに貼られる蹴上げ部とを一体形成した構造になっている。踏み面部と蹴上げ部とは、予め約直角に折り曲げ形成されていて、階段への貼付け作業を容易にしている。
【０００３】
【特許文献１】
特開平９−１５１５８７号公報
【０００４】
【発明が解決しようとする課題】
しかしながら、このような従来の階段用床材にあっては、踏み面部から蹴上げ部を予め折り曲げた一体構造のため、階段における踏み面と蹴上げとの角部の形状に追従できにくい。つまり、階段の角部に小さな曲率、例えば半径１０ミリメートルの曲面が形成されていて、階段用床材の内面が半径２ミリメートルの曲面であると、階段の角部と階段用床材の内面との間に隙間が生じてぶかぶかになり、階段を昇り降りする人が足を踏み外すおそれがある。また、逆に階段の角部に大きな曲率、例えば半径２ミリメートルという直角に近い面が形成されていて、階段用床材の内面が半径１０ミリメートルの曲面であると、階段用床材が階段に配設できないことになり、工事現場に赴いて初めて、その階段に階段用床材が取り付けられないことが分ることは工事の進捗を遅らせるおそれがある。また、あらゆる階段の角部に対応できるように様々な曲率に形成された多種類の階段用床材を用意することは、多種類の少量生産となり、原価高騰の一原因になるおそれがある。
【０００５】
この発明は、このような従来の技術に着目してなされたものであり、階段のあらゆる角部形状に対応できることで、安価であると共に階段を昇り降りする人が足を踏み外しにくい階段用床材を提供するものである。
【０００６】
【課題を解決するための手段】
請求項１に記載の発明は、階段の踏み面に敷き設可能なる合成樹脂製のシート部と、階段の踏み面から蹴上げにかけて曲折された形状の合成樹脂製のコーナー部とが一体に形成されてなり、前記階段の角部に対応する前記コーナー部の裏面に、前記階段の角部の曲率に略合致させるコーナーピースを着脱自在としたことを特徴とする。
【０００７】
請求項１に記載の発明によれば、階段の角部に対応するコーナーピースが、シート部及びコーナー部とは別部材で、且つ階段の角部に対応できるため、シート部及びコーナー部という大きな部材が共用できるため、大量生産できると共に成形金型が一様でよい分安価になる。また、階段のあらゆる角部形状にコーナーピースのみの変更で対応できることにより、階段と階段用床材との間が密着するから、踏力がコーナーピースを介して階段の角部へ直接伝達され、踏力に対して高い反発力を示すことになり、昇り降りする人が足を踏み外しにくくなり、安全に寄与できることになる。工事現場で、階段の角部にコーナーピースを合わせられるので、工事進捗もはかどり、作業性向上が図れる。
【０００８】
請求項２に記載の発明は、前記コーナーピースは、前記コーナー部の裏面に形成した凹部に係合離脱可能なる係合頭部と、前記階段の角部に対応する合わせ面部とより形成されてなることを特徴とする。
【０００９】
請求項２に記載の発明によれば、階段の角部に対応させて、適宜選んだコーナーピースの係合頭部を、前記コーナー部の凹部に係合させれば、合わせ面部が、階段の角部に確実に対応できることになる。
【００１０】
請求項３に記載の発明は、前記シート部と前記コーナー部とによる階段用床材本体及び前記コーナーピースが、押し出し成形により形成されてなることを特徴とする。
【００１１】
請求項３に記載の発明によれば、前記シート部と前記コーナー部とによる階段用床材本体及び前記コーナーピースが、押し出し成形により形成されてなるため、あらゆる幅の階段でも対応できることになり、この点でも製造原価が安価になる。
【００１２】
請求項４に記載の発明は、前記シート部の表面には、防滑用の滑り止め部材が係合可能な収納部を形成すると共に、この収納部に滑り止め部材が保持されてなることを特徴とする。
【００１３】
請求項４に記載の発明によれば、シート部とは別材の滑り止め部材であるので、該滑り止め部材の材質、表面の形状などの選択の自由度が増し、シート部の収納部に保持させるだけでよいので、劣化した場合の交換性能も高いものとなる。
【００１４】
【発明の実施の形態】
以下、この発明の好適な実施形態を図１〜図３に基づいて説明する。
【００１５】
まず、この実施形態に係る階段用床材１の構造を、図１に基づいて説明する。この階段用床材１は、階段２の踏み面３の一部に貼り付けられるシート部４と、階段２の踏み面３及び蹴上げ５で形成される角部６を覆うコーナー部７と、前記シート部４の収納部８に保持されてなる滑り止め部材９と、前記シート部４の凹部内に差し込まれ且つ該凹部内で超音波溶着、高周波溶着、振動溶着などにより支持されると共に階段２の踏み面３に貼り付けられるカーペット又は合成樹脂板よりなる踏み込み部１０とより形成されてなる。
【００１６】
シート部４は、厚さ４．３ｍｍの軟質ポリ塩化ビニルで、表面４ａには防滑性を得るために幅１ミリメートルの凹模様１１が施されている。シート部４としては、前記したポリ塩化ビニル等のビニル系樹脂の他に、ポリエチレン等のオレフィン系樹脂やナイロン等のアミド系樹脂等の合成樹脂を単層又は積層構造で用いることができる。また、合成樹脂に炭酸カルシウム等の無機質充填剤を配合しても良い。更に、合成樹脂の層に麻布等を積層しても良い。
【００１７】
コーナー部７は、階段２の踏み面３から蹴上げ５にかけてシート部４に対して下側に折り曲げられた断面Ｌ型の硬質ポリ塩化ビニル製で、蹴上げ５と、踏み面３及び蹴上げ５により形成される階段２の角部６を覆う。このコーナー部７は、階段２の蹴上げ５の面に食込むような形状（二点鎖線）に形成していることで、この階段２に階段用床材１を配設すると、コーナー部７が階段２の蹴上げ５の面に密接することになる。このコーナー部７としては、シート部４と超音波溶着、高周波溶着、振動溶着などが可能な材質を用いることができ、前記シート部４と略同様の合成樹脂を使用することができる。但し、一般に、コーナー部７の方を硬質にするために、無機質充填剤の配合量を増している。コーナー部７の表面７ａにも、防滑性を得るための凹模様１１が施されている。符号２２は、コーナー部７の裏面７ｂに二個突設させた糊止めであって、階段２から垂れ下がる作業用の糊が垂れ下がるのを防止している。
【００１８】
前記階段２の角部６に対応する前記コーナー部７の裏面７ｂに、前記階段２の角部６の曲率に略合致させるコーナーピース１２を着脱自在としている。該コーナーピース１２は、前記コーナー部７の裏面７ｂに形成した凹部１３に係合離脱可能なる係合頭部１４と、前記階段２の角部６の曲率に対応する合わせ面部１５とより形成されてなる。
【００１９】
前記コーナーピース１２の合わせ面部１５は、図１に示すように、前記階段２の角部６が、半径２ミリメートルの曲率であれば、同じように、２ミリメートルの凹状に形成されてなり、図２に示すように、前記階段２の角部６が、半径５ミリメートルの曲率であれば、前記コーナーピース１６の合わせ面部１７は、５ミリメートルの凹状に形成されてなり、図３に示すように、前記階段２の角部６が、半径１０ミリメートルの曲率であれば、前記コーナーピース１８の合わせ面部１９は、１０ミリメートルの凹状に形成されてなる。コーナーピース１６及び１８の係合頭部１４は、共通である。
【００２０】
前記シート部４の表面の収納部８には、防滑用の滑り止め部材９が係合離脱自在であって、前記シート部４と前記コーナー部７とによる階段用床材本体２０及び前記コーナーピース１２，１６，１８が、押し出し成形により形成されてなるので、左右方向から凹部１３内にコーナーピース１２，１６，１８の係合頭部１４を収納できるし、離脱もできるばかりか、同じく左右方向から収納部８内に滑り止め部材９を収納できるし、離脱もできる。
【００２１】
以上により、この実施形態によれば、階段２の角部６に対応するコーナーピース１２，１６，１８が、シート部４及びコーナー部７とは別部材で、且つ階段２の角部６に対応できるため、シート部４及びコーナー部７という大きな部材が共用できるため、大量生産できると共に成形金型が一様でよい分安価になる。
【００２２】
また、階段２のあらゆる角部６形状にコーナーピース１２，１６，１８のみの変更で対応できることにより、階段２と階段用床材１との間が密着するから、踏力がコーナーピース１２，１６，１８を介して階段２の角部６へ直接伝達され、踏力に対して高い反発力を示すことになり、昇り降りする人が足を踏み外しにくくなり、安全に寄与できることになる。
【００２３】
更に、工事現場で、階段２の角部６にコーナーピース１２，１６，１８を合わせられるので、工事進捗もはかどり、作業性向上が図れる。
【００２４】
また、階段２の角部６に対応させて、適宜選んだコーナーピース１２，１６，１８の係合頭部１４を、前記コーナー部７の凹部１３に係合させれば、合わせ面部１５，１７，１９が、階段２の角部６に確実に対応できることになる。
【００２５】
また、前記シート部４と前記コーナー部７とによる階段用床材本体２０及び前記コーナーピース１２，１６，１８が、押し出し成形により形成されてなるため、あらゆる幅の階段２でも（例えば、３メートルの幅を有するマンションの階段でも、人がやっと通れる幅の階段でも）対応できることになり、この点でも製造原価が安価になる。
【００２６】
滑り止め部材９は、シート部４とは別材であるが、該滑り止め部材９の材質、表面９ａの形状などの選択の自由度が増し、シート部４の収納部８に保持させるだけでよいので、劣化した場合の交換性能も高いものとなる。前記滑り止め部材９の表面９ａは、図１に示すような平滑面でも、材質により撓み易くしてあれば、昇降する人の踏力により凹み、滑るのが防止できるし、図４及び図５に示すように、滑り止め部材９の表面９ａに、適宜の直径、例えば３．６ミリメートルで、適宜の出っ張り量、例えば０．８ミリメートルの円柱状の凸部２１を複数設ければ、これも昇降する人の踏力に反発する力となって、滑るのを防止できる。凸部２１は、円形に限定されるものではなく、三角でも菱形でも良い。こうしたシート部４の裏面に、両面テープ或いはファスナーにより収納部８に固着しても良いし、単に係合しても良い。いずれにしても、該滑り止め部材９の材質、表面の形状などの選択の自由度が増し、シート部４の収納部８に保持させるだけでよいので、滑り止め部材９が劣化した場合の交換性能も高いものとなる。
【００２７】
【発明の効果】
請求項１に記載の発明によれば、階段の角部に対応するコーナーピースが、シート部及びコーナー部とは別部材で、且つ階段の角部に対応できるため、シート部及びコーナー部という大きな部材が共用できるため、大量生産できると共に成形金型が一様でよい分安価になる。また、階段のあらゆる角部形状にコーナーピースのみの変更で対応できることにより、階段と階段用床材との間が密着するから、踏力がコーナーピースを介して階段の角部へ直接伝達され、踏力に対して高い反発力を示すことになり、昇り降りする人が足を踏み外しにくくなり、安全に寄与できることになる。工事現場で、階段の角部にコーナーピースを合わせられるので、工事進捗もはかどり、作業性向上が図れる。
【００２８】
請求項２に記載の発明によれば、階段の角部に対応させて、適宜選んだコーナーピースの係合頭部を、前記コーナー部の凹部に係合させれば、合わせ面部が、階段の角部に確実に対応できることになる。
【００２９】
請求項３に記載の発明によれば、前記シート部と前記コーナー部とによる階段用床材本体及び前記コーナーピースが、押し出し成形により形成されてなるため、あらゆる幅の階段でも対応できることになり、この点でも製造原価が安価になる。
【００３０】
請求項４に記載の発明によれば、シート部とは別材の滑り止め部材であるので、該滑り止め部材の材質、表面の形状などの選択の自由度が増し、シート部の収納部に保持させるだけでよいので、劣化した場合の交換性能も高いものとなる。
【図面の簡単な説明】
【図１】この発明の一実施形態に係る階段に貼り付けられた階段用床材を示す断面図。
【図２】図１のコーナーピースと異なるコーナーピースを配設した状態の階段用床材を示す断面図。
【図３】図１、２のコーナーピースと異なるコーナーピースを配設した状態の階段用床材を示す断面図。
【図４】図１の滑り止め部材と異なる滑り止め部材を示す断面図。
【図５】図４の上面図。
【符号の説明】
１  階段用床材
２  階段
３  階段の踏み面
４  シート部
５  階段の蹴上げ
６  階段の角部
７  コーナー部
７ｂ  コーナー部の裏面
８  シート部の収納部
９  滑り止め部材
１２、１６，１８  コーナーピース
１３  凹部
１４  係合頭部
１５、１７，１９  合わせ面部
２０  階段用床材本体
【図１】
2004197533.tif 000003
【図２】
2004197533.tif 000004
【図３】
2004197533.tif 000005
【図４】
2004197533.tif 000006
【図５】
2004197533.tif 000007